(57)【要約】  【課題】１つの温度検知手段で構成し、外気温度および冷凍機温度を検知できる自動販売機を提供するものである。  【解決手段】冷凍機の圧縮機５ｃ、凝縮器５ａ、あるいは圧縮機５ｃと凝縮器５ａとの間の配管等の温度を検知する冷凍機温度検知手段６ａを備え、圧縮機５ｃの運転直前に冷凍機温度検知手段６ａにより検知した温度を外気温度とする制御部８ａ，８ｂを備え、冷凍機温度検知手段６ａを１つとしたことで、構成を簡素化することができ、故障率も低減することができるものである。【選択図】図２
2007122212.tif 000002
【特許請求の範囲】
【請求項１】
自動販売機本体の下部に商品収納室を冷却する冷凍機を備え、前記冷凍機の圧縮機、凝縮器、あるいは前記圧縮機と凝縮器との間の配管等の温度を検知する冷凍機温度検知手段を備え、前記冷凍機温度検知手段は前記圧縮機の運転直前の温度を検知することで、圧縮機の運転を制御する制御部を備えたことを特徴とする自動販売機。
【請求項２】
制御部は、前記圧縮機運転直前に前記冷凍機温度検知手段により検知した温度を一定回数記憶し、外気温度とすることを特徴とする請求項１に記載の自動販売機。
【請求項３】
制御部は、前記圧縮機運転直前に前記冷凍機温度検知手段により検知した温度を一定回数記憶し、再度検知した温度が一定温度以上外れた場合、記憶温度を優先することを特徴とする請求項２に記載の自動販売機。
【請求項４】
制御部は、前記圧縮機運転直前に前記冷凍機温度検知手段により検知した温度を一定回数記憶し、再度検知した温度が一定温度以上外れた場合、記憶温度を優先し、外れた温度が一定回数に達した場合、外れた温度を優先することを特徴とする請求項３に記載の自動販売機。
【請求項５】
制御部は、冷凍機の負荷条件により外気温度を補正することを特徴とする請求項１に記載の自動販売機。
【発明の詳細な説明】
【技術分野】
【０００１】
本発明は、自動販売機の商品収納庫内を冷却する冷凍機に関し、特に、外気温度を検知する手段に関するものである。
【背景技術】
【０００２】
従来、この種の自動販売機は冷凍機温度検知手段と外気温度検知手段との温度検知により、冷凍機を制御するものがあった（特許文献１参照）。
【０００３】
図６は、前記文献に記載された従来の自動販売機の縦断面図を示すものである。図６において、自動販売機のキャビネット１と、商品収納時に開閉する扉２と、商品を収納する収納室３と、キャビネット１の下部に区画された機械室４、機械室４に配設された冷凍機５とからなり、冷凍機５は、凝縮器５ａ、送風ファン５ｂ、圧縮機５ｃを図示のように前後に配設され、凝縮器５ａの配管に取付られた冷凍機温度検知手段６と、冷凍機５と扉２の間に配設された外気温度検知手段７とから構成されている。
【０００４】
以上のように構成された自動販売機について、以下その動作を説明する。
【０００５】
まず、商品収納室３は冷却サイクルにより冷却保存されている。
【０００６】
商品収納室３の冷却時に、外気温度検知手段７により検出された外気温度によりあらかじめ設定された設定温度と冷凍機温度検知手段６により検出された温度を比較し、冷凍機５の停止あるいは運転継続を行う。
【特許文献１】特開平１０−７３３４８号公報
【発明の開示】
【発明が解決しようとする課題】
【０００７】
しかしながら、前記従来の構成では、冷凍機温度検知手段と外気温度検知手段の２つの検知手段が必要であり、構成が複雑になるとともに故障率が高くなるという課題を有していた。
【０００８】
本発明は、上記従来の課題を解決するもので、１つの温度検知手段で構成する自動販売機を提供することを目的とする。
【課題を解決するための手段】
【０００９】
上記従来の課題を解決するために、本発明の自動販売機は、圧縮機の運転直前に冷凍機温度検知手段により検知した温度を外気温度とする制御部を備え、温度検知手段を１つとしたことで、構成が簡素化され、故障率も低減することができる。
【００１０】
また、本発明の自動販売機は、圧縮機の運転直前に冷凍機温度検知手段により検知した温度を一定回数記憶し補正する制御部を備え、温度検知手段を１つとしたことで、構成が簡素化され、故障率も低減するとともに、さらに精度良く外気温度を検知することができる。
【００１１】
また、本発明の自動販売機は、圧縮機の運転直前に冷凍機温度検知手段により検知した温度を一定回数記憶し、再度検知した温度が一定以上外れた場合、記憶温度を優先する制御部を備え、温度検知手段を１つとしたことで、構成が簡素化され、故障率も低減するとともに、検知温度が外気温度を大きく外れた場合にも精度良く外気温度を検知することができる。
【００１２】
また、本発明の自動販売機は、圧縮機の運転直前に冷凍機温度検知手段により検知した温度を一定回数記憶し、再度検知した温度が一定以上外れた場合、記憶温度を優先し、外れた温度が一定回数に達した場合、外れた温度を優先する制御部を備え、温度検知手段を１つとしたことで、構成が簡素化され、故障率も低減するとともに、大きな外気温度の変化にも精度良く外気温度を検知することができる。
【００１３】
また、本発明の自動販売機は、圧縮機の運転直前に冷凍機温度検知手段により検知した温度を圧縮機の負荷条件により補正する制御部を備え、温度検知手段を１つとしたことで、構成が簡素化され、故障率も低減するとともに、さらに精度良く外気温度を検知することができる。
【発明の効果】
【００１４】
本発明の自動販売機は、構成が簡素化され、故障率も低減することができる。
【００１５】
また、本発明の自動販売機は、構成が簡素化され、故障率も低減するとともに、さらに精度良く外気温度を検知することができる。
【００１６】
また、本発明の自動販売機は、検知温度が外気温度を大きく外れた場合にも精度良く外気温度を検知することができる。
【００１７】
また、本発明の自動販売機は、大きな外気温度の変化にも精度良く外気温度を検知することができる。
【発明を実施するための最良の形態】
【００１８】
請求項１に記載の発明は、自動販売機本体の下部に商品収納室を冷却する冷凍機を備え、前記冷凍機の圧縮機、凝縮器、あるいは前記圧縮機と凝縮器との間の配管等の温度を検知する冷凍機温度検知手段を備え、前記冷凍機温度検知手段は前記圧縮機の運転直前の温度を検知することで、圧縮機の運転を制御する制御部を備えたことで、構成が簡素化され、故障率も低減することができる。
【００１９】
請求項２に記載の発明は、請求項１に記載の発明において、圧縮機の運転直前に冷凍機温度検知手段により検知した温度を一定回数記憶し補正する制御部を備え、温度検知手段を１つとしたことで、構成が簡素化され、故障率も低減するとともに、さらに精度良く外気温度を検知することができる。
【００２０】
請求項３に記載の発明は、請求項２に記載の発明において、圧縮機の運転直前に冷凍機温度検知手段により検知した温度を一定回数記憶し、再度検知した温度が一定以上外れた場合、記憶温度を優先する制御部を備え、温度検知手段を１つとしたことで、構成が簡素化され、故障率も低減するとともに、検知温度が外気温度を大きく外れた場合にも精度良く外気温度を検知することができる。
【００２１】
請求項４に記載の発明は、請求項３に記載の発明において、圧縮機の運転直前に冷凍機温度検知手段により検知した温度を一定回数記憶し、再度検知した温度が一定以上外れた場合、記憶温度を優先し、外れた温度が一定回数に達した場合、外れた温度を優先する制御部を備え、温度検知手段を１つとしたことで、構成が簡素化され、故障率も低減するとともに、大きな外気温度の変化にも精度良く外気温度を検知することができる。
【００２２】
請求項５に記載の発明は、請求項１に記載の発明において、圧縮機の運転直前に冷凍機温度検知手段により検知した温度を圧縮機の負荷条件により補正する制御部を備え、温度検知手段を１つとしたことで、構成が簡素化され、故障率も低減するとともに、さらに精度良く外気温度を検知することができる。
【００２３】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００２４】
（実施の形態１）
図１は、本発明の実施の形態１における自動販売機の縦断面図である。図１において、６ａは冷凍機温度検知手段であり、凝縮器５ａの配管温度を検知している。
【００２５】
図２は、本発明の実施の形態１における自動販売機のブロック図である。図２において、８ａは制御部であり、冷凍機温度検知手段６ａにて圧縮機５ｃの運転直前の温度を検知する。９は記憶部であり、制御部８ａからの信号により検知温度を記憶する。
【００２６】
また、制御部８ａは、記憶部９が記憶した新しいデータより規定数ｎ個を平均し、平均値Ａとして記憶部９に記憶する。さらに、制御部８ａは、次の冷凍機温度検知手段６ａにて圧縮機５ｃの運転直前の検知温度と平均値Ａを比較し、検知温度が平均値Ａより設定値Ｂ以上外れた場合、異常データとして記憶する。
【００２７】
さらに、制御部８ａは、規定数ｎ個連続して異常データが記憶された場合、異常データを平均値Ａとする。規定数ｎ及び設定値Ｂはあらかじめ設定された数値である。
【００２８】
図３は、本発明の実施の形態１における自動販売機のフローチャートである。
【００２９】
以上のように構成された自動販売機について、図１、図２、図３を用い、以下その動作、作用を説明する。
【００３０】
まず、商品収納室３は冷凍機５により冷却保存されている。
【００３１】
ＳＴＥＰ１にて、圧縮機５ｃの運転直前温度を冷凍機温度検知手段６ａにより検知し、記憶部９にて記憶する。
【００３２】
ＳＴＥＰ２にて、記憶データ数が規定数ｎ個より少なければ、ＳＴＥＰ１に戻り温度を検知する。記憶データが規定数ｎ個以上であれば、ＳＴＥＰ３に進む。
【００３３】
ＳＴＥＰ３にて、新しいｎ個のデータを平均し、平均値Ａと設定する。
【００３４】
ＳＴＥＰ４にて、再度圧縮機５ｃの運転直前温度を冷凍機温度検知手段６ａにより検知する。
【００３５】
ＳＴＥＰ５にて、平均値ＡとＳＴＥＰ４での検知温度Ｘとの差の絶対値が設定値Ｂより小さければ、ＳＴＥＰ６に進み、新しいｎ個のデータを平均し平均値Ａに設定する。
【００３６】
ＳＴＥＰ５にて、平均値ＡとＳＴＥＰ４での検知温度Ｘとの差の絶対値が設定値Ｂ以上であれば、ＳＴＥＰ７に進み、異常データとして記憶部９に記憶される。
【００３７】
ＳＴＥＰ８にて、異常データが連続ｎ個となれば、ＳＴＥＰ９にてｎ個の異常データを平均して平均値Ａとして設定する。その後、ＳＴＥＰ１０にて平均値Ａを外気温度に設定する。また、ＳＴＥＰ６およびＳＴＥＰ８にて異常データが連続ｎ個でなければ、そのままＳＴＥＰ１０へ進み平均値Ａを外気温度に設定する。
【００３８】
その後、ＳＴＥＰ４からＳＴＥＰ１０を繰り返す。
【００３９】
設定された外気温度により、制御部８ａにて冷凍機５を制御する。
【００４０】
以上のように、本実施の形態においては、圧縮機の運転直前に冷凍機温度検知手段により検知した温度を外気温度とする制御部を備え、温度検知手段を１つとしたことで、構成が簡素化され、故障率も低減することができる。
【００４１】
また、本実施の形態では、圧縮機の運転直前に冷凍機温度検知手段により検知した温度を一定回数記憶し補正する制御部を備え、温度検知手段を１つとしたことで、構成が簡素化され、故障率も低減するとともに、さらに精度良く外気温度を検知することができる。
【００４２】
また、本実施の形態では、圧縮機の運転直前に冷凍機温度検知手段により検知した温度を一定回数記憶し、再度検知した温度が一定以上外れた場合、記憶温度を優先する制御部を備え、温度検知手段を１つとしたことで、構成が簡素化され、故障率も低減するとともに、検知温度が外気温度を大きく外れた場合にも精度良く外気温度を検知することができる。
【００４３】
また、本実施の形態では、圧縮機の運転直前に冷凍機温度検知手段により検知した温度を一定回数記憶し、再度検知した温度が一定以上外れた場合、記憶温度を優先し、外れた温度が一定回数に達した場合、外れた温度を優先する制御部を備え、温度検知手段を１つとしたことで、構成が簡素化され、故障率も低減するとともに、大きな外気温度の変化にも精度良く外気温度を検知することができる。
【００４４】
（実施の形態２）
図４は、本発明の実施の形態２における自動販売機のブロック図である。図４において、８ｂは制御部であり、冷凍機温度検知手段６ａにて圧縮機５ｃの運転直前の温度を検知し、冷凍機５の状態により検知温度の補正を行い、外気温度に設定する。
【００４５】
図５は、本発明の実施の形態２における自動販売機のタイムチャートである。
【００４６】
以上のように構成された自動販売機について、図４、図５を用い、以下その動作、作用を説明する。
【００４７】
冷凍機５のＯＮ信号の入力直前に、冷凍機温度検知手段６ａにて冷凍機５の温度Ｔ１を検知する。温度Ｔ１は、外気温度と△Ｔ１温度差が生じる。制御部８ｂは、あらかじめ冷凍機５の負荷状態によって設定された△Ｔ１により温度補正を行い、外気温度に設定をする。
【００４８】
以上のように、本実施の形態においては、圧縮機の運転直前に冷凍機温度検知手段により検知した温度を圧縮機の負荷条件により補正する制御部を備え、温度検知手段を１つとしたことで、構成が簡素化され、故障率も低減するとともに、自動販売機の様々な運転環境にも精度良く外気温度を検知することができる。
【産業上の利用可能性】
【００４９】
以上のように、本発明にかかる自動販売機は、精度よく外気温を検知することができるのであらゆる自動販売機の圧縮機の運転を制御することができる。
【図面の簡単な説明】
【００５０】
【図１】本発明の実施の形態１における自動販売機の縦断面図
【図２】本発明の実施の形態１における自動販売機のブロック図
【図３】本発明の実施の形態１における自動販売機のフローチャート
【図４】本発明の実施の形態２における自動販売機のブロック図
【図５】本発明の実施の形態２における自動販売機のタイムチャート
【図６】従来の自動販売機の縦断面図
【符号の説明】
【００５１】
３    商品収納室
５    冷凍機
６ａ  冷凍機温度検知手段
８ａ，８ｂ  制御部
９    記憶部
【図１】
2007122212.tif 000003
【図２】
2007122212.tif 000004
【図３】
2007122212.tif 000005
【図４】
2007122212.tif 000006
【図５】
2007122212.tif 000007
【図６】
2007122212.tif 000008